(57)【要約】【課題】  本発明は製造が容易で、安価に製造することができる、緩み止めを図ることができる締付固定具を得るにある。また、本発明はナットを、ドライバーを用いて回転させることができ、容易に締付け固定を図ることができる締付固定具を得るにある。【解決手段】  ボルトとナットからなる締付固定具において、前記ボルトとナットを磁力によって吸着固定できるようにして締付固定具を構成している。【選択図】  図３
2011012766.tif 000002
【特許請求の範囲】
【請求項１】
ボルトとナットからなる締付固定具において、前記ボルトとナットを磁力によって吸着固定できるようにしたことを特徴とする締付固定具。
【請求項２】
強磁性体で形成されたボルトと、このボルトに螺合され、かつ該ボルトに吸着される磁気を帯びたナットとからなることを特徴とする請求項１記載の締付固定具。
【請求項３】
強磁性体で形成され、あるいは磁性材料で形成されたボルトと、このボルトのねじ部と螺合され、かつ該ねじ部に吸着される磁気を帯びた、あるいは磁性材料で形成されたナットとからなることを特徴とする請求項１または請求項２いずれかに記載の締付固定具。
【請求項４】
磁気を帯びた、あるいは磁性材料で形成されたナットはボルトのねじ部と螺合するナット本体と、このナット本体の上部に一体形成されたねじ孔あるいはボルト挿入孔が形成された筒状の頭部と、この頭部に＋あるいは−のドライバーが挿入できるように形成されたドライバー挿入凹部とで構成されていることを特徴とする請求項１または請求項２いずれかに記載の締付固定具。
【発明の詳細な説明】
【技術分野】
【０００１】
本発明はボルト、ナットを用いた締付固定具に関する。
【背景技術】
【０００２】
従来、ボルト、ナットはボルトのねじ山に螺合するナットのねじ孔の螺合締付けによって２つの部品等を締付け固定している。
しかしながら、使用中に振動等を受けてナットが緩むところには、ボルトとナットを締付け状態で溶接等で固定したり、ボルトのねじ山やナットのねじ孔に特別な加工をして、緩み止めを図ったボルトやナットを使用している。
このため、緩み止めを図ったボルトやナットは製造が大変で、コスト高になるという欠点があった。
【先行技術文献】
【特許文献】
【０００３】
【特許文献１】特開２００７−９２９２５
【発明の概要】
【発明が解決しようとする課題】
【０００４】
本発明は以上のような従来の欠点に鑑み、製造が容易で、安価に製造することができる、緩み止めを図ることができる締付固定具を提供することを目的としている。
【０００５】
また、本発明はナットを、ドライバーを用いて回転させることができ、容易に締付け固定を図ることができる締付固定具を提供することを他の目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明はボルトとナットからなる締付固定具において、前記ボルトとナットを磁力によって吸着固定できるようにして締付固定具を構成している。
【発明の効果】
【０００９】
以上の説明から明らかなように、本発明にあっては次に列挙する効果が得られる。
（１）ボルトにナットを螺合させて従来と同じように締付け固定することができるとともに、この締付け固定状態にあるボルトとナットとを磁力によって吸着固定することができる。
【００１０】
したがって、振動が生じたとしても、ボルトとナットを磁力で吸着固定しているため、緩んだりするのを効率よく阻止することができる。
（２）前記（１）により、ボルトとナットを磁力によって吸着固定できるようにするだけでよいので、容易に製造することができるとともに、安価に製造することができる。
（３）請求項２、３も前記（１）、（２）と同様な効果が得られる。
（４）請求項４も前記（１）、（２）と同様な効果が得られるとともに、ナットをドライバーで回転させて、ボルトに取付けたり、ボルトより取り外すことができる。
【図面の簡単な説明】
【００１１】
【図１】本発明を実施するための第１の形態の使用状態の説明図。
【図２】図１の２−２線に沿う断面図。
【図３】本発明を実施するための第１の形態の分解斜視図。
【図４】本発明を実施するための第１の形態のナットの平面図。
【図５】本発明を実施するための第１の形態のナットの側面図。
【図６】図４の６−６線に沿う断面図。
【図７】本発明を実施するための第２の形態の使用状態の断面図。
【図８】本発明を実施するための第２の形態の分解斜視図。
【図９】本発明を実施するための第２の形態のボルトの説明図。
【図１０】本発明を実施するための第３の形態の使用状態の断面図。
【図１１】本発明を実施するための第３の形態の分解斜視図。
【図１２】本発明を実施するための第４の形態の使用状態の断面図。
【図１３】本発明を実施するための第４の形態の分解斜視図。
【図１４】本発明を実施するための第５の形態の使用状態の断面図。
【図１５】本発明を実施するための第5の形態の分解斜視図。
【図１６】ドライバーの説明図。
【発明を実施するための形態】
【００１２】
以下、図面に示す本発明を実施するための形態により、本発明を詳細に説明する。
【００１３】
図１ないし図６に示す本発明を実施するための第１の形態において、１は２つの部品２、３等を締付け固定する本発明の締付固定具で、この締付固定具１は強磁性体で形成されたボルト４と、このボルト４のねじ山５と螺合されるねじ孔６が形成され、かつ該ボルト４に吸着される磁気を帯びた、あるいは磁性材料で形成されたナット７で構成されている。
【００１４】
前記ナット７は前記ボルト４のねじ山５と螺合するねじ孔６が形成された円筒状のナット本体８と、このナット本体８の上部に一体形成されたねじ孔６あるいはボルト挿入孔が形成された筒状の頭部９と、この頭部９に＋あるいは−のドライバー１０が挿入できるように形成されたドライバー挿入凹部１１とで構成されている。
上記構成の締付固定具１は図１および図２に示すように、２つの部品２、３に形成されているボルト挿入孔２ａ、３ａへボルト４を挿入し、ボルト４のねじ山５とナット７のねじ孔６とを螺合させ、ナット７のドライバー挿入凹部１１へドライバー１０を挿入して、回転させて締付け固定する。
【００１５】
この時、ナット７が磁気を帯びているあるいは磁性材料で形成されていても、従来と同様にボルト４のねじ山５とナット７のねじ孔６とが螺合して締付けることができる。
締付け固定状態ではボルト４とナット７との螺合で、従来と同様に固定状態となるとともに、ボルト４のねじ山５に磁気でナット７が吸着された状態となるため、振動が生じてもナット７が磁力で回転しずらくなるので、緩んだりするのを効率よく阻止することができる。
【００１６】
[発明を実施するための異なる形態]
次に、図７ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図７ないし図９に示す本発明を実施するための第２の形態において、前記本発明を実施するための第１の形態と主に異なる点は、磁気を帯びた、あるいは磁性材料で形成されたボルト４Ａを用いた点で、このようなボルト４Ａを用いて構成した締付固定具１Ａにしても、前記本発明を実施するための第１の形態と同様な作用効果が得られる。
【００１８】
なお、この実施例ではボルト４Ａとナット７のそれぞれが磁気を帯びた、あるいは磁性材料で形成されているので、ボルト４Ａとナット７とが反発しないように磁極を選択しておかなければならない。
【００１９】
図１０および図１１に示す本発明を実施するための第３の形態において、前記本発明を実施するための第２の形態と主に異なる点は、強磁性体でナット７Ａを形成した点で、このようなナット７Ａを用いて構成した締付固定具１Ｂにしても、前記本発明を実施するための第２の形態と同様な作用効果が得られる。
【００２０】
図１２および図１３に示す本発明を実施するための第４の形態において、前記本発明を実施するための第１の形態と主に異なる点は、六角形状に形成され磁気を帯びた、あるいは磁性材料で形成したナット７Ｂを用いた点で、このようなナット７Ｂを用いて構成した締付固定具１Ｃにしても、前記本発明を実施するための第１の形態と同様な作用効果が得られる。
【００２１】
図１４ないし図１６に示す本発明を実施するための第４の形態において、前記本発明を実施するための第１の形態と主に異なる点は、両面に＋あるいは−のドライバー１０が挿入できるように形成されたドライバー挿入凹部１１、１１を形成したナット７Ｃを用いた点で、このようなナット７Ｃを用いて構成した締付固定具１Ｄにしても、前記本発明を実施するための第１の形態と同様な作用効果が得られる。
【００２２】
なお、図１６に示すような先端部にボルト４が入り込む凹部１２が形成されたドライバー１０Ａ、１０Ｂを使用してもよい。
【００２３】
また、ナット７、７Ａ、７Ｂ、７Ｃのナット本体の形状を円筒以外の四角筒、五角筒、六角筒等の形状にしてもよい。
【産業上の利用可能性】
【００２４】
本発明はボルトとナットを用いた締付固定具を製造する産業で利用される。
【符号の説明】
【００２５】
１、１Ａ、１Ｂ、１Ｃ、１Ｄ：締付固定具、
２：部品、                    ３：部品、
４、４Ａ：ボルト、            ５：ねじ山、  
６：ねじ孔、                  ７、７Ａ、７Ｂ、７Ｃ：ナット、
８：ナット本体、              ９：頭部、
１０、１０Ａ、１０Ｂ：ドライバー、
１１：ドライバー挿入凹部、  １２：ボルトが入り込む凹部。
【図１】
2011012766.tif 000003
【図２】
2011012766.tif 000004
【図３】
2011012766.tif 000005
【図４】
2011012766.tif 000006
【図５】
2011012766.tif 000007
【図６】
2011012766.tif 000008
【図７】
2011012766.tif 000009
【図８】
2011012766.tif 000010
【図９】
2011012766.tif 000011
【図１０】
2011012766.tif 000012
【図１１】
2011012766.tif 000013
【図１２】
2011012766.tif 000014
【図１３】
2011012766.tif 000015
【図１４】
2011012766.tif 000016
【図１５】
2011012766.tif 000017
【図１６】
2011012766.tif 000018